(57)【特許請求の範囲】
【請求項１】
上下方向と、前後方向と、上面シートと下面シートとを有する扁平な袋の前記上面シートに排泄物を前記袋の中へ導く導入手段が形成され、前記手段には肌に対して剥離可能な粘着性を有する止着手段が含まれる使い捨ての排泄物処理用着用物品において、
前記上面シートは透液性の不織布からなり、前記下面シートは不透液性のシートからなるものであって、前記不織布の内面にはそれよりも高密度な親水性の繊維集合体が裏打ちされており、
前記導入手段は、前記上面シートに設けられた開口の周囲から上方ヘ延びていて前記上下方向への弾性伸縮性を有し、かつ不透液性材料で形成されている可撓性の管状部と、前記管状部の上端開口の周囲に形成され弾性を有するフランジ部とからなり、前記止着手段が前記フランジ部の上面に塗布された粘着剤であり、前記フランジ部にはその幅方向中央部の上面又は下面において、前記前後方向へ延びる溝が形成されていることを特徴とする前記排泄物処理用着用物品。
【請求項２】
前記上面シートの開口の径は、前記管状部の上端開口の径よりも大きいかまたは等しい請求項１記載の排泄物処理用着用物品。
【請求項３】
前記管状部の上端開口の径は、前記管状部の長さよりも大きいかまたは等しい請求項１または２記載の排泄物処理用着用物品。
【請求項４】
前記管状部は、その周囲のいずれの方向においても前記上面シートへ向かって少なくとも４５°傾斜可能である請求項１〜３のいずれかに記載の排泄物処理用着用物品。
【請求項５】
前記袋の下面には、粘着剤およびメカニカルファスナのいずれかからなる止着手段が設けられている請求項１〜４のいずれかに記載の排泄物処理用着用物品。
【請求項６】
前記袋の中には、前記排泄物を袋の各部位へ案内する分配層とその分配層の下に配置された吸液層とが形成されている請求項１〜５のいずれかに記載の排泄物処理用着用物品。
【発明の詳細な説明】
【０００１】
【発明の属する技術分野】
この発明は、便、特に軟便を処理するのに好適な使い捨ての排泄物処理用着用物品に関する。
【０００２】
【従来の技術】
ＷＯ  ９９／０００９２号公報には、便処理用の着用物品であるバッグが開示されている。このバッグは、開口と開口を囲むフランジとを有し、フランジの上面には粘着剤が塗布されている。このバッグは使い捨ておむつと一体にして着用することができるもので、着用するときには、バッグを使い捨ておむつの内側に置き、フランジを肛門の周囲に貼り付ける。
【０００３】
【発明が解決しようとする課題】
前記公知のバッグでは、使い捨ておむつが身体に対してずれると、その動きがバッグに伝わってフランジを肛門の周囲から剥すように作用するから、その作用に負けることがないようにフランジに塗布した粘着剤の粘着力を高くしなければならない。また、このバッグが軟便を収容して重くなったときにバッグとおむつとの間に隙間があいていると、バッグは肛門の周囲から垂れ下がるから、フランジの粘着剤はバッグの重さに耐え得るように粘着力を高くしておかなければならない。しかし、フランジ部の粘着力をこのように高くすることの反作用として、フランジ部を肌から剥そうとするときに痛みを伴うようになったり、粘着剤で肌がかぶれ易くなったりするということがある。
【０００４】
この発明では、軟便等の排泄物を処理するための袋を備えた使い捨ての着用物品において、その袋を強い粘着力によって肌へ止着する必要がないように改良することを課題にしている。
【０００５】
【課題を解決するための手段】
前記課題解決のために、この発明が対象とするのは、上下方向と、前後方向と、上面シートと下面シートとを有する扁平な袋の前記上面シートに排泄物を前記袋の中へ導く導入手段が形成され、前記手段には肌に対して剥離可能な粘着性を有する止着手段が含まれる使い捨ての排泄物処理用着用物品である。
【０００６】
かかる排泄物処理用着用物品において、この発明が特徴とするところは、前記上面シートは透液性の不織布からなり、前記下面シートは不透液性のシートからなるものであって、前記不織布の内面にはそれよりも高密度な親水性の繊維集合体が裏打ちされており、前記導入手段は、前記上面シートに設けられた開口の周囲から上方ヘ延びていて前記上下方向への弾性伸縮性を有し、かつ不透液性材料で形成されている可撓性の管状部と、前記管状部の上端開口の周囲に形成され弾性を有するフランジ部とからなり、前記止着手段が前記フランジ部の上面に塗布された粘着剤であり、前記フランジ部にはその幅方向中央部の上面又は下面において、前記前後方向へ延びる溝が形成されていることを特徴とする、にある。
【０００７】
【発明の実施の形態】
使い捨ての排泄物処理用着用物品として軟便処理用の袋を例にとり、添付の図面を参照して説明すると、以下のとおりである。
【０００８】
図１は、軟便処理用の袋１がこれと併用される使い捨ておむつ２の内側に載せられた状態を示す部分破断平面図である。おむつ２は、周知慣用のもので、透液性表面シート３と、不透液性裏面シート４と、これら両シート３，４間に介在する吸液性コア６とを有する。おむつ２の胴周り方向ヘ延びる端縁部７，８と脚周り方向ヘ延びる側縁部９とには、胴周り弾性部材１０，１１と脚周り弾性部材１２とがあって、これら弾性部材１１，１２がそれぞれの周り方向へ伸長された状態で表裏面シート３，４の少なくとも一方の内面に接合している。おむつ２の後胴周り域の両側縁部１３には、テープファスナ１４が取り付けられている。
【０００９】
袋１は、おむつ２の前後方向（図の上下方向）へ長くなるように矩形に形成されていて、前部２１と後部２２とを有し、後部２２の幅方向中央には軟便導入部２３が形成されている。袋１は、前部２１をおむつ２の前方へ向け、軟便導入部２３を肛門の周囲に止着しておむつ２とともに着用する。
【００１０】
図２，３は、袋１の斜視図と、同図のＩＩＩ−ＩＩＩ線断面図である。袋１は、矩形の上面シート２６と下面シート２７とを重ね合わせ、互いの周縁部を接着または溶着によって接合することにより形成されており、上面シート２６には袋１の内外へ通じる開口２８が設けられ、下面シート２７には袋１の前後両端部にまち３０が設けられている。開口２８の周囲には軟便導入部２３が形成されている。軟便導入部２３は、軟便を袋１へ導き入れることが可能な導入管２９を有し、この導入管２９が開口２８の周囲からほぼ直立した状態で上方へ延びている。導入管２９は、上端開口３１を有し、開口３１の周囲にはフランジ部３２が形成されている。フランジ部３２の上面には粘着剤３３が全面的に、または間欠的に塗布されている。
【００１１】
袋１において、上面シート２６は透液性不織布や透液性開孔プラスチックフィルム、不透液性プラスチックフィルムで形成される。下面シート２７は不透液性プラスチックフィルム、より好ましくは通気不透液性のプラスチックフィルムによって形成される。上下面シート２６，２７間には粉砕パルプや高吸水性ポリマー粉末等の吸水性材料からなる吸液層３６が形成され、より好ましくは吸液層３６の上に発泡ポリウレタンや発泡ポリエチレン、発泡ポリスチレン等の柔軟弾性材料からなる体液分配層３７が形成される。
【００１２】
導入管２９は、図の上下方向へ弾性的に伸縮可能であり、かつ、その周囲のいずれの方向においても上面シート２６へ向かって少なくとも４５°傾くことができるもので、例えばウレタンゴムやシリコンゴム等の不透液性弾性材料に伸縮を容易にするための蛇腹状の凹凸３８を設けることによって作られる。導入管２９はまた、上下方向へ伸縮するコイルスプリングの外周に耐水圧５０ｍｍ／Ｈ２Ｏ以上を有する実質的に不透液性の不織布や不透液性のプラスチックフィルム等を貼ることによって形成されていてもよい。導入管２９の基端部３９は、上面シート２６に対して水密に接合している。導入管２９の頂部に位置するフランジ部３２は、柔軟な弾性シート、例えば発泡ポリエチレンシートや発泡ポリウレタンシート等によって形成される。フランジ部３２は、幅方向中央部の上面または下面に前後方向ヘ延びる溝４１が形成されていると、溝４１を中心に上下方向へ容易に屈曲して肛門周囲の肌に密着し易くなる。
【００１３】
図４は、吸液層３６と体液分配層３７との斜視図である。粉砕パルプまたは粉砕パルプと高吸水性ポリマー粉末とが圧縮されてなるパネル状の吸液層３６の上には、ティシュペーパ等の吸水性シート４２またはネット状の透水性シートの上面に三次元網状構造を有する発泡ポリウレタン等のブロック４４が複数個接合してなる体液分配層３７が載せられている。ブロック４４どうしの間には溝４６が形成され、導入管２９から導かれた軟便等を袋１の各部位へ案内することができる。またブロック４４は、その高さを調整することによって、上下面シート２６，２７を適宜の寸法だけ離間させ、袋１内部への軟便の流入を容易にすることができる。各ブロック４４は、吸水性シート４２に接合していることによって相互の位置が一定に保たれる。
【００１４】
かような袋１における軟便導入部２３では、導入管２９の上端開口３１の径ｄと導入管２９の高さｈとがｄ≧ｈの関係にあり、また上端開口３１の径ｄと上面シート２６の開口２８の径ｗとがｄ≧ｗの関係にあることが好ましい。かかる軟便導入部２３は、導入管２９が大きく傾いて上面シート２６に接近するようなことがあっても、上端開口３１は容易に塞がれることがない。
【００１５】
このような袋１のフランジ部３２を肛門の周囲に貼った状態で袋１をおむつ２とともに着用したときには、おむつ２によって袋１が下から支えられるので、フランジ部３２にはそれを肌から剥離するような力が作用しない。また、袋１がおむつ２とともに身体に対してずれ動くことがあれば、導入管２９が変形してその動きに追随し、フランジ部３２にはそれを肌から剥離するような力が作用し難い。さらにはまた、おむつ２が身体に対してずり下がり、おむつ２と袋１とが多少離間するようなことがあれば、袋１の重さによって導入管２９が伸長して袋１がおむつ２に届き、袋１はおむつ２によって下から支えられるようになるのでフランジ部３２に作用する袋１の重さが軽減される。この袋１では、弾性伸縮性の導入管２９がこのように作用するので、フランジ部３２に塗布する粘着剤３３として粘着力の強いものを使用する必要がない。そのようなフランジ部３２は、肌から剥離するときに傷みを感じさせることがないばかりでなく、肌がかぶれる原因にもなりにくい。
【００１６】
また、袋１の上面シート２６が透液性のものである場合には、排泄される尿を袋１の前部２１で受け止め、この尿を上面シート２６を透過させて袋１の内側へ導くことができる。かかる透過を容易にするために、上面シート２６が開孔プラスチックフィルムからなる場合にはそのフィルムの内面を坪量２０〜５０ｇ／ｍ２を有する親水性繊維の集合体によって裏打ちすることが好ましい。また、上面シート２６が透液性の不織布からなる場合には、その不織布の内面をその不織布よりも高密度な親水性の繊維集合体４０（図３参照）によって裏打ちすることが好ましい。ただし、尿をこのように処理する必要がない場合には、不透液性の上面シート２６を使用してこの発明を実施することができる。
【００１７】
袋１の下面シート２７は、その外面の一部分に粘着剤を塗布したり商品名マジックテープで知られるメカニカルファスナの雄部材を取り付けたりすることによって、おむつ２の表面シート３に対して剥離可能に止着することができる。
【００１８】
図示例においては、袋１が使い捨ておむつ２とともに使用されているが、かかるおむつ２は、袋１の着用手段の一例に過ぎない。袋１は、おむつカバ−やパンツとともに着用することもできる。
【００１９】
【発明の効果】
この発明に係る使い捨ての排泄物処理用着用物品は、扁平な袋に弾性伸縮性かつ可撓性の排泄物導入管を設けるとともに、その導入管の頂部開口の周囲に粘着性のフランジ部を設けたから、この排泄物処理用着用物品を着用しているときには、袋が身体に対してずれるように動けば導入管がその動きに追随し、フランジ部にはそれを肌から剥離させるような力が及び難い。それゆえ、この排泄物処理用着用物品では、フランジ部の粘着力を低く抑えてフランジ部を肌から剥そうとするときの痛みを軽減したり、粘着剤による肌のかぶれを防止したりすることができる。
【図面の簡単な説明】
【図１】使い捨ておむつに載せられた排泄物処理用着用物品の平面図。
【図２】排泄物処理用着用物品の斜視図。
【図３】図２のＩＩＩ−ＩＩＩ線断面図。
【図４】吸液層と体液分配層との斜視図。
【符号の説明】
１      排泄物処理用着用物品（袋）
２３      導入手段
２６      上面シート
２７      下面シート
２８      開口
２９      管状部（導入管）
３１      上端開口
３２      フランジ部
３３      止着手段（粘着剤）
３６      吸液層
３７      分配層
ｄ      径
ｈ      長さ（高さ）
ｗ      径
【図１】
0003895921.tif 000002
【図２】
0003895921.tif 000003
【図３】
0003895921.tif 000004
【図４】
0003895921.tif 000005